(57)【要約】  【課題】開口枠の取り付けを容易に行うことができる開口枠取付装置および開口枠の取付方法を提供する。  【解決手段】開口枠９を保持する保持枠１０を出入口３の周縁部の外壁面（パネル２の前面）に位置決めし、パネル２を貫通するねじ３２を介して固定部材３１の本体３４に連結させることにより、保持枠１０を出入口３の周縁部に取り付けるとともに、パネル２の後面と固定部材３１の当接部３５の前面との間に開口枠９の後面板１２ｃの外側縁部を挟持させる。このとき、開口枠９の前面板１２ｂを、パネル２の前面と保持枠１０のリブ２０との間に挟持させる。  【効果】出入口３の周縁部に対する保持枠１０の取り付けと開口枠９の固定とを同時に行うことができる。【選択図】        図９
2005221156.tif 000002
【特許請求の範囲】
【請求項１】
複数のパネルを組み立てることによって形成されたプレハブ構造体の出入口に対応する形状に枠組みされた開口枠を、上記出入口の周縁部に被せて取り付けるための開口枠取付装置であって、
上記出入口の周縁部の外壁面に位置決めされ、上記開口枠の外周を取り囲んで当該開口枠を保持する保持枠と、
上記出入口の周縁部の内壁面に位置決めされ、上記パネルを貫通する固定具によって上記保持枠に連結される本体と、上記保持枠によって保持された上記開口枠に当接し、当該開口枠を上記出入口の周縁部の内壁面との間で挟持する第１挟持部とを備えた固定部材とを含むことを特徴とする開口枠取付装置。
【請求項２】
上記第１挟持部は、当該第１挟持部に当接した上記開口枠に嵌合する嵌合部を含むことを特徴とする請求項１記載の開口枠取付装置。
【請求項３】
上記保持枠は、当該保持枠によって保持されている上記開口枠に当接し、当該開口枠を上記出入口の周縁部の外壁面との間で挟持する第２挟持部を含むことを特徴とする請求項１または２記載の開口枠取付装置。
【請求項４】
上記開口枠は、複数の枠材の端部同士を近接配置することにより枠組みされるものであって、
上記開口枠の近接配置された枠材の端部同士を結合するための結合部材を含むことを特徴とする請求項１〜３のいずれかに記載の開口枠取付装置。
【請求項５】
複数のパネルを組み立てることによって形成されたプレハブ構造体の出入口に対応する形状に枠組みされた開口枠を、上記出入口の周縁部に被せて取り付けるための取付方法であって、
上記開口枠の外周を取り囲んで当該開口枠を保持する保持枠を、上記出入口の周縁部の外壁面に位置決めするとともに、固定部材を上記出入口の周縁部の内壁面に位置決めして、当該固定部材に備えられた挟持部を上記保持枠によって保持された上記開口枠に当接させることにより、当該開口枠を上記挟持部と上記出入口の周縁部の内壁面との間で挟持させた後、固定具を上記パネルに貫通させて上記固定部材と上記保持枠とを連結させることを特徴とする開口枠の取付方法。
【発明の詳細な説明】
【技術分野】
【０００１】
この発明は、プレハブ式冷凍冷蔵庫などのプレハブ構造体の出入口の周縁部に被せて取り付けられる開口枠を保持するための開口枠取付装置および開口枠の取付方法に関する。
【背景技術】
【０００２】
通常、複数のパネルを組み立てることによって形成されるプレハブ式冷凍冷蔵庫などのプレハブ構造体には、複数のパネルのうちの所定のパネルに、庫内に人が出入するための略矩形の出入口が形成されている。この出入口は扉によって開閉できるようになっていて、出入口の周縁部には、扉に対応する形状（略矩形状）に枠組みされた開口枠が被せられている。扉を閉じた状態では、扉の内面（庫内側の面）の周縁部に取り付けられたパッキンが開口枠に当接し、出入口が密閉されるようになっている。
【０００３】
開口枠は、たとえば、その外周を取り囲む保持枠によって保持される（たとえば、特許文献１参照）。保持枠は、たとえば、４本の枠材を略矩形に枠組みすることにより出入口に対応する形状に形成されていて、隣接する枠材の端部同士が枠材用連結部材で連結されている。４本の枠材のうち上下方向に延びる枠材の一方（たとえば、前方から見て右側の枠材）には、扉が回動可能に取り付けられる。
【０００４】
各枠材用連結部材は、枠材の端面に形成された挿入口に挿入される２つの挿入部と、これらの２つの挿入部を挿入方向がほぼ直交するように結合する結合部とを含む略Ｌ字状の部材である。各挿入部が対応する枠材の挿入口に挿入され、各挿入部に形成された複数の貫通孔に固定具（たとえば、ねじ）を通して枠材にねじ込むことにより、２本の枠材の各端部が枠材用連結部材に固定されて、２本の枠材が互いに連結される。
【０００５】
保持枠は出入口の周縁部の外壁面に位置決めされ、出入口の周縁部の内壁面には、保持枠を出入口の周縁部に固定するための複数の固定部材が位置決めされる。その後、各固定部材に形成された貫通孔に固定具（たとえば、ねじ）を通してパネルを貫通させ、固定部材に対してパネルを挟んで対向する保持枠に締め込むことにより、保持枠が出入口の周縁部に固定される。開口枠は、出入口の周縁部に嵌め込まれ、固定具（たとえば、ねじ）を用いてパネルに固定される。
【特許文献１】特開２０００−１３０９１９号公報
【発明の開示】
【発明が解決しようとする課題】
【０００６】
しかしながら、上記従来技術では、保持枠をパネル（出入口の周縁部）に固定する作業とは別に、固定具を用いて開口枠をパネルに固定しなければならないため、開口枠の取り付けが面倒である。
この発明は、かかる背景のもとでなされたもので、開口枠の取り付けを容易に行うことができる開口枠取付装置および開口枠の取付方法を提供することを目的とする。
【０００７】
また、この発明の別の目的は、開口枠をより強固に固定することができる開口枠取付装置および開口枠の取付方法を提供することを目的とする。
【課題を解決するための手段】
【０００８】
上記目的を達成するための請求項１記載の発明は、複数のパネル（２）を組み立てることによって形成されたプレハブ構造体（１）の出入口（３）に対応する形状に枠組みされた開口枠（９）を、上記出入口の周縁部に被せて取り付けるための開口枠取付装置であって、上記出入口の周縁部の外壁面に位置決めされ、上記開口枠の外周を取り囲んで当該開口枠を保持する保持枠（１０）と、上記出入口の周縁部の内壁面に位置決めされ、上記パネルを貫通する固定具（３２）によって上記保持枠に連結される本体（３４）と、上記保持枠によって保持された上記開口枠に当接し、当該開口枠を上記出入口の周縁部の内壁面との間で挟持する第１挟持部（３５）とを備えた固定部材（３１）とを含むことを特徴とする開口枠取付装置である。
【０００９】
なお、括弧内の英数字は、後述の実施形態における対応構成要素などを表す。以下、この項において同じ。
この構成によれば、開口枠を保持する保持枠を出入口の周縁部の外壁面に位置決めし、パネルを貫通する固定具を介して固定部材の本体に連結させることにより、保持枠を出入口の周縁部に取り付けるとともに、開口枠を固定部材の第１挟持部と出入口の周縁部の内壁面との間で挟持することにより、開口枠をより強固に固定することができる。
【００１０】
したがって、出入口の周縁部に対する保持枠の取り付けと開口枠の固定とを同時に行うことができるので、開口枠を保持枠とは別に固定具を用いて固定するような構成と比較して、開口枠の取り付けが容易である。
請求項２記載の発明は、上記第１挟持部（３５）は、当該第１挟持部に当接した上記開口枠（９）に嵌合する嵌合部（３５ａ）を含むことを特徴とする請求項１記載の開口枠取付装置である。
【００１１】
この構成によれば、開口枠が固定部材の第１挟持部との当接面に沿ってずれるのを防止できるので、開口枠をより強固に固定することができる。
上記嵌合部（３５ａ）は、凸部または凹部であることが好ましい。
請求項３記載の発明は、上記保持枠（１０）は、当該保持枠によって保持されている上記開口枠（９）に当接し、当該開口枠を上記出入口の周縁部の外壁面との間で挟持する第２挟持部（２０）を含むことを特徴とする請求項１または２記載の開口枠取付装置である。
【００１２】
この構成によれば、保持枠に保持された開口枠を、保持枠の第２挟持部と出入口の周縁部の外壁面との間で挟持することにより、開口枠をより強固に固定することができる。
請求項４記載の発明は、上記開口枠（９）は、複数の枠材（９ａ〜９ｄまたは９ａ〜９ｃ）の端部同士を近接配置することにより枠組みされるものであって、上記開口枠の近接配置された枠材の端部同士を結合するための結合部材（３３）を含むことを特徴とする請求項１〜３のいずれかに記載の開口枠取付装置である。
【００１３】
この構成によれば、開口枠の近接配置された枠材の端部同士が結合部材によって結合されるので、開口枠をより強固に固定することができる。
請求項５記載の発明は、複数のパネル（２）を組み立てることによって形成されたプレハブ構造体（１）の出入口（３）に対応する形状に枠組みされた開口枠（９）を、上記出入口の周縁部に被せて取り付けるための取付方法であって、上記開口枠の外周を取り囲んで当該開口枠を保持する保持枠（１０）を、上記出入口の周縁部の外壁面に位置決めするとともに、固定部材（３１）を上記出入口の周縁部の内壁面に位置決めして、当該固定部材に備えられた挟持部（３５）を上記保持枠によって保持された上記開口枠に当接させることにより、当該開口枠を上記挟持部と上記出入口の周縁部の内壁面との間で挟持させた後、固定具（３２）を上記パネルに貫通させて上記固定部材と上記保持枠とを連結させることを特徴とする開口枠の取付方法である。
【００１４】
この構成によれば、開口枠を保持する保持枠を出入口の周縁部の外壁面に位置決めし、パネルを貫通する固定具を介して固定部材の本体に連結させることにより、保持枠を出入口の周縁部に取り付けるとともに、開口枠を固定部材の挟持部と出入口の周縁部の内壁面との間で挟持することにより、開口枠をより強固に固定することができる。
したがって、出入口の周縁部に対する保持枠の取り付けと開口枠の固定とを同時に行うことができるので、開口枠を保持枠とは別に固定具を用いて固定するような構成と比較して、開口枠の取り付けが容易である。
【発明を実施するための最良の形態】
【００１５】
以下には、図面を参照して、この発明の実施形態について具体的に説明する。
図１は、この発明の一実施形態に係るプレハブ式冷凍冷蔵庫１の外観構成を示す斜視図である。図１における右前側を前方、左後側を後方として説明する。
図１を参照して、このプレハブ式冷凍冷蔵庫１は、複数枚のパネル２を組み立てることにより略直方体の箱状に形成され、その内部に食品などを冷凍または冷蔵保存するためのものである。プレハブ式冷凍冷蔵庫１の底面は、複数枚の底面パネル（図示せず）の側端面を互いに当接させた状態で左右方向に隣接配置することにより形成されている。プレハブ式冷凍冷蔵庫１の左前端、左後端、右前端および右後端の４隅は、それぞれ平面視で略Ｌ字状に屈曲形成されたＬ字パネル２ａが配置され、これらの４つのＬ字パネル２ａの互いに対向する側端面間に、１ないし複数枚の側面パネル２ｂが隣接するパネルの側端面を互いに当接させた状態で配置されている。４つのＬ字パネル２ａおよび複数枚の側面パネル２ｂの各上端部によって形成される略矩形の開口は、側端面を互いに当接させた状態で左右方向に隣接配置された複数枚の天面パネル２ｃによって覆われている。
【００１６】
底面パネル、Ｌ字パネル２ａ、側面パネル２ｂおよび天面パネル２ｃの各パネル２は、０．４ｍｍ程度の厚みを有する鋼板によって形成された中空状の部材であって、全体として４５ｍｍ程度の厚みを有している。各パネル２の内部には、たとえばウレタンフォームなどの断熱材が注入され、庫内の温度を低温に維持できるようになっている。底面パネル、側面パネル２ｂおよび天面パネル２ｃは、それぞれ一定幅（たとえば、９００ｍｍ）に形成されている。
【００１７】
プレハブ式冷凍冷蔵庫１の前面には、使用者が庫内に出入するための出入口３が形成されている。出入口３は、たとえば、幅が９００ｍｍ程度、高さが１８００ｍｍ程度に形成されている。この実施形態では、左前側のＬ字パネル２ａの右側端面によって出入口３の左側縁が区画され、当該プレハブ式冷凍冷蔵庫１の前面を構成する２枚の側面パネル２ｂのうち右側の側面パネル２ｂの左側端面によって出入口３の右側縁が区画されている。したがって、これらのＬ字パネル２ａと側面パネル２ｂとの間に配置される（左側の）側面パネル２ｂの長さを短くするだけで、上記所定寸法の出入口３を容易に形成することができる。
【００１８】
出入口３は、当該出入口３よりも若干大きく形成された略長方形状の扉４によって開閉できるようになっている。出入口３の周縁部には、略矩形状に枠組みされた取付枠５が配置されていて、この取付枠５の右端部と扉４の右端部とが複数（たとえば、２つ）のヒンジ６で連結されることにより、扉４がヒンジ６を中心に回動可能に保持されている。
扉４の前面左端部の上下方向中央部には、扉４を開閉する際に使用者が把持するためのハンドル７が取り付けられている。また、取付枠５の左端部の上下方向中央部には、ハンドル７に係合して扉４を閉じた状態で維持するためのロック装置８が取り付けられている。ハンドル７は、その右端部を把持して手前に引くことにより左端部を中心に回動させることができるようになっていて、扉４を開ける際には、ハンドル７の右端部を把持して手前に引くことによりハンドル７が回動し、これに伴ってハンドル７のロック装置８に対する係合が外れて、扉４を手前側に開くことが可能になる。
【００１９】
図２は、取付枠５の正面図である。
図２を参照して、取付枠５は、略矩形状に枠組みされ、出入口３の周縁に沿って取り付けられる開口枠９と、この開口枠９の外周を取り囲んで保持する保持枠１０とを含む。保持枠１０は、それぞれ金属製（たとえば、アルミニウム製）の左枠１０ａ、右枠１０ｂ、上枠１０ｃおよび下枠１０ｄの４本の枠材を略矩形状に配置し、隣接する端部同士を樹脂製の連結部材１１で連結することにより形成されている。保持枠１０の右枠１０ｂの上端部および下端部には、それぞれ、ヒンジ６を取り付ける際にねじをねじ込むための複数（たとえば、３つ）のねじ孔１０ｅが形成されている。ただし、左枠１０ａ、右枠１０ｂ、上枠１０ｃおよび下枠１０ｄは、金属製のものに限らず、たとえば樹脂製のものであってもよい。
【００２０】
開口枠９は、それぞれ樹脂製の左枠９ａ、右枠９ｂ、上枠９ｃおよび下枠９ｄを含み、下枠９ｄは、その長手方向中央部が上下方向に切断されることにより２つの分割枠９ｅに分割されている。開口枠９の左枠９ａ、右枠９ｂ、上枠９ｃおよび下枠９ｄの長手方向両端面は、長手方向に対して約４５°で傾斜する傾斜面となっていて、枠組みされた枠材９ａ〜９ｄの端面（傾斜面）同士を当接させることにより、略矩形状の開口枠９が形成されるようになっている。ただし、開口枠９は、下枠９ｄを省略した構成、すなわち左枠９ａ、右枠９ｂおよび上枠９ｃにより構成されるものであってもよい。
【００２１】
開口枠９を保持枠１０の内周に嵌め込む際には、まず、開口枠９の左枠９ａ、右枠９ｂおよび上枠９ｃを保持枠１０の内周面に沿って配置する。その後、図２において破線で示すように、下枠９ｄを構成する２つの分割枠９ｅを上方から斜め下方に移動させて、それぞれの傾斜面となっている側の端面を左枠９ａおよび右枠９ｂの下端面（傾斜面）に対向するように配置する。この状態から、２つの分割枠９ｅを、それぞれの傾斜面となっている側の端部を中心にして図２に示す矢印の方向（下方）に回動させることにより、実線で示すように２つの分割枠９ｅが左右方向に沿って一直線状に嵌め込まれ、開口枠９の保持枠１０に対する取り付けが完了する。開口枠９は、その外周が保持枠１０の内周よりも若干大きく形成されていて、これにより、開口枠９を保持枠１０の内周に嵌め込んだ状態では、開口枠９の外周面が当接する保持枠の内周面から押圧力を受けて、開口枠９が良好に保持されるようになっている。
【００２２】
図３は、開口枠９の左枠９ａの構成を示す図であって、図３（ａ）は正面図、図３（ｂ）は平面図、図３（ｃ）は左側面図、図３（ｄ）は背面図をぞれぞれ示している。
図３を参照して、開口枠９の左枠９ａは、前後方向に沿って延びる側面板１２ａと、この側面板１２ａの前端および後端からそれぞれ左方向に延びる前面板１２ｂおよび後面板１２ｃとを含み、平面視で略コ字状に形成されている。後面板１２ｃの厚みは５ｍｍ程度である。
【００２３】
前面板１２ｂの左右方向中央部には、上端からか下端まで上下方向に延びる凹条１３が形成されていて、これにより、前面板１２ｂは全体として２０ｍｍ程度の厚みを有している。凹条１３の前方側の開口部は、カバー１４によって塞がれている。カバー１４の前面は、上下方向に延びる複数のリブが左右方向に並べて配置されることにより凹凸形状となっていて、扉４を閉じた状態では、扉４の内面（後面）の周縁部に取り付けられたパッキン（図示せず）がカバー１４の前面に当接し、出入口３が密閉されるようになっている。
【００２４】
カバー１４の後面の左側縁および右側縁には、それぞれ後方に向かって突出する爪部１４ａが形成されている。前面板１２ｂの凹条１３内に前方からカバー１４の爪部１４ａを挿入させると、爪部１４ａが凹条１３の内壁面に引っ掛かって、カバー１４の前面が前面板１２ｂの前面に沿った状態となる。これにより、前面板１２ｂの凹条１３とカバー１４とで囲まれた上下方向に延びる空間が形成され、この空間内にヒータなどを収容することが可能になる。
【００２５】
後面板１２ｃの前面と前面板１２ｂの後面（凹条１３の外壁面）との間には、パネル２の厚みと同程度（たとえば、４５ｍｍ程度）の間隔が空けられることにより、出入口３の左側縁部を収容するための収容凹部１５が形成されている。すなわち、出入口３の左側縁部に対して右側から左枠９ａを被せることにより、収容凹部１５内に出入口３の左側縁部が入り込み、左枠９ａが出入口３の周縁部（パネル２）に取り付けられる。
【００２６】
後面板１２ｃの後面には、その左側縁部の上端部および下端部に、それぞれ略円形の窪み１６が形成されている。これらの窪み１６は、後述する固定部材を係合（嵌合）させるためのものである。
図３では、開口枠９の左枠９ａの構成について説明したが、開口枠９の右枠９ｂは、左枠９ａと左右対称の構成を有している。また、開口枠９の上枠９ｃは、左枠９ａを図３における時計回りに９０°回転させた構成であって、左枠９ａよりも短く（半分程度）形成されている。開口枠９の下枠９ｄは、上枠９ｃと上下対称の構成であって、上述のとおり、その長手方向中央部が上下方向に切断されることにより２つの分割枠９ｅに分割されている。
【００２７】
図４は、保持枠１０の左枠１０ａの構成を示す図であって、図４（ａ）は正面図、図４（ｂ）は平面図、図４（ｃ）は右側面図、図４（ｄ）は背面図をぞれぞれ示している。
図４を参照して、保持枠１０の左枠１０ａは、前面板１７ａ、後面板１７ｂ、左面板１７ｃおよび右面板１７ｄを含み、平面視で略矩形状に形成された中空部材である。後面板１７ｂの上端部および下端部には、それぞれ略矩形の貫通孔１８が形成されている。これらの貫通孔１８は、当該左枠１０ａの上端面および下端面の開口（挿入口１９）から挿入される連結部材１１を係止させるためのものである。
【００２８】
右面板１７ｄの右面前部には、右方に向かって所定量（たとえば、３ｍｍ程度）だけ突出する厚さ約１．５ｍｍのリブ２０が、上端から下端まで上下方向に延びるように形成されている。リブ２０の後面と後面板１７ｂの後面との間の距離は、開口枠９の前面板１２ｂの厚みと同程度（２０ｍｍ程度）である。
図４では、保持枠１０の左枠１０ａの構成について説明したが、保持枠１０の右枠１０ｂは、左枠１０ａと左右対称の構成を有している。また、保持枠１０の上枠１０ｃは、左枠１０ａを図４における時計回りに９０°回転させた構成であって、左枠１０ａよりも短く（半分程度）形成されている。保持枠１０の下枠１０ｄは、上枠１０ｃと上下対称の構成である。
【００２９】
図５および図６は、保持枠１０の左上隅に配置される連結部材１１の構成を示す図である。図５は斜視図、図６（ａ）は正面図、図６（ｂ）は右側面図、図６（ｃ）は背面図、図６（ｄ）は底面図をそれぞれ示している。また、図７は、図６（ｃ）に示す矢印Ａ−Ａに沿った断面図である。
図５〜図７を参照して、この連結部材１１は、左右方向および上下方向にそれぞれ延びる２つの挿入部２１と、これらの２つの挿入部２１の挿入方向Ｄ１基端側を結合する結合部２２とを備えている。左右方向に延びる挿入部２１は、保持枠１０の上枠１０ｃの左端面の挿入口１９から当該上枠１０ｃ内に挿入されるものであり、上下方向に延びる挿入部２１は、保持枠１０の左枠１０ａの上端面の挿入口１９から当該左枠１０ａ内に挿入されるものである。
【００３０】
２つの挿入部２１は、それぞれ挿入方向Ｄ１に沿った筒状の同一形状を有しており、前面板２１ａと、後面板２１ｂと、これらの前面板２１ａおよび後面板２１ｂの挿入方向Ｄ１に沿った両側縁部を前後方向に対向する側縁部同士で連結する２つの側面板２１ｃとを含む。各挿入部２１の前面板２１ａ、後面板２１ｂおよび２つの側面板２１ｃの外面には、それぞれ、挿入方向Ｄ１に直交する方向の両端部に、挿入方向Ｄ１に沿って延びるリブ２３が（２つずつ）形成されている。各リブ２３は、前面板２１ａ、後面板２１ｂおよび２つの側面板２１ｃの外面から０．７ｍｍ程度突出していて、その挿入方向Ｄ１先端部は、先端に向かって徐々に高さが低くなるように形成されている。これにより、２つの挿入部２１をそれぞれ左枠１０ａおよび上枠１０ｃに挿入する際、挿入口１９に挿入しやすくなっている。
【００３１】
各挿入部２１が左枠１０ａおよび上枠１０ｃの挿入口１９に挿入されると、各挿入部２１の外周面に形成された複数（たとえば、計８つ）のリブ２３の先端が左枠１０ａおよび上枠１０ｃの内面に摺接するようになっている。すなわち、各挿入部２１を挿入口１９から左枠１０ａおよび上枠１０ｃに挿入する際、各挿入部２１の外周面全体が左枠１０ａおよび上枠１０ｃの内面に摺接するのではなく、挿入方向Ｄ１に沿って延びるリブ２３の先端が左枠１０ａおよび上枠１０ｃの内面に摺接することとなる。したがって、各挿入部２１を左枠１０ａおよび上枠１０ｃに挿入する際の摩擦抵抗を減少させて、より小さい力で挿入部２１を挿入することができるので、保持枠１０の枠組みをより容易に行うことができる。
【００３２】
各挿入部２１の後面板２１ｂの挿入方向Ｄ１先端側には、当該後面板２１ｂに形成された２つのリブ２３の間に、略矩形の開口２４が形成されている。この開口２４内には、挿入方向Ｄ１先端側の端辺が開口２４の縁に連結された爪部２５が配置されている。爪部２５は、開口２４の縁との結合部を中心に回動するようにして弾性変形可能であって、弾性変形していない状態では、その先端部（開口２４の縁との結合部と反対側の端部）が、後面板２１ｂに形成されたリブ２３よりも後方まで突出している（図６（ｂ），（ｄ）参照）。
【００３３】
したがって、この連結部材１１の各挿入部２１を左枠１０ａおよび上枠１０ｃの挿入口１９に挿入すると、爪部２５の先端部が左枠１０ａおよび上枠１０ｃの内面に摺接し、当該左枠１０ａおよび上枠１０ｃの内面の反作用力によって前方に押し込まれて弾性変形することとなる。そして、挿入部２１が挿入方向Ｄ１基端側まで挿入されると、左枠１０ａおよび上枠１０ｃの各後面板１７ｂに形成された貫通孔１８に対向する位置まで爪部２５が移動し、爪部２５の先端部が左枠１０ａおよび上枠１０ｃの内面に当接しなくなる。これにより、爪部２５は弾性的に初期状態に戻り、その先端部が貫通孔１８の縁に引っ掛かった状態となって、連結部材１１が左枠１０ａおよび上枠１０ｃに対して係止される。
【００３４】
この連結部材１１の結合部２２は、正面視で中心角が約９０°の略扇形の形状を有する前面板２２ａおよび後面板２２ｂと、前面板２２ａおよび後面板２２ｂの下端面同士を連結する下面板２２ｃと、前面板２２ａおよび後面板２２ｂの右端面同士を連結する右面板２２ｄと、前面板２２ａおよび後面板２２ｂの円弧状端面同士を連結する湾曲形状の湾曲板２２ｅとを含む中空部材である。２つの挿入部２１の挿入方向Ｄ１基端側が、それぞれ下面板２２ｃおよび右面板２２ｄに結合されることにより、２つの挿入部２１は、それぞれの挿入方向Ｄ１が互いに直交するように連結されている。
【００３５】
下面板２２ｃの前縁および左縁には、下方に向かって所定量（たとえば、０．６ｍｍ程度）だけ突出する厚さ約０．８ｍｍのリブ２６が連設されている（図６（ｄ）参照）。また、右面板２２ｄの前縁および上縁には、右方に向かって所定量（たとえば、０．６ｍｍ程度）だけ突出する厚さ約０．８ｍｍのリブ２７が連設されている（図６（ｂ）参照）。これらのリブ２６，２７と、対向する挿入部２１の外周面に形成されたリブ２３の先端との間には、たとえば１．７ｍｍ程度の間隔が空けられることにより、挿入部２１を挿入した左枠１０ａおよび上枠１０ｃの端部を収容するための収容凹部２８が形成されている。すなわち、各挿入部２１が左枠１０ａおよび上枠１０ｃに挿入方向Ｄ１基端側まで挿入された状態では、左枠１０ａおよび上枠１０ｃの端部が収容凹部２８内に収容されるようになっている（図６（ａ）参照）。
【００３６】
このような構成によれば、左枠１０ａおよび上枠１０ｃの端部が外部に露出しないような構成にすることができるので、見栄えをよくすることができるとともに、左枠１０ａおよび上枠１０ｃの端部にバリがある場合に、使用者の手がバリに触れて怪我をするのを防止できる。
下面板２２ｃと右面板２２ｄとの結合部には、下面板２２ｃの右端縁および右面板２２ｄの下端縁からそれぞれ３ｍｍ程度（保持枠１０に形成されたリブ２０の突出量と同程度）の切欠きが形成されることにより、略Ｌ字状の凹部２９が形成されている。この凹部２９は、２つの挿入部２１がそれぞれ挿入された左枠１０ａおよび上枠１０ｃの端部同士が干渉するのを防止するためのものである。すなわち、２つの挿入部２１がそれぞれ左枠１０ａおよび上枠１０ｃに挿入方向Ｄ１基端側まで挿入されると、左枠１０ａから突出するリブ２０の上端面が凹部２９の下側に位置し、上枠１０ｃから突出するリブ２０の左端面が凹部２９の右側に位置することになるので、リブ同士が干渉するのを防止できる（図６（ａ）参照）。
【００３７】
結合部２２の凹部２９内の前側には、正面視で当該凹部２９に対応する形状のリブ３０が形成されている。このリブ３０は、２つの挿入部２１がそれぞれ挿入された左枠１０ａおよび上枠１０ｃの（各リブ２０の）端部と凹部２９とによって形成される開口を閉塞するためのものである。これにより、前方から見たときに上記開口が閉塞されるので、見栄えをよくすることができる。
【００３８】
図５〜図７では、保持枠１０の左上隅に配置される連結部材１１の構成について説明したが、保持枠１０の右上隅、右下隅および左下隅に配置される連結部材１１も同じ形状である。ただし、保持枠１０の右上隅に配置される連結部材１１は、図６（ａ）に示す連結部材１１を時計回りに９０°回転させた姿勢で用いられ、保持枠１０の右下隅に配置される連結部材１１は、図６（ａ）に示す連結部材１１を時計回りに１８０°回転させた姿勢で用いられ、保持枠１０の左下隅に配置される連結部材１１は、図６（ａ）に示す連結部材１１を時計回りに２７０°回転させた姿勢で用いられることとなる。
【００３９】
この実施形態に係る連結部材１１を用いて保持枠１０の各枠材（左枠１０ａ、右枠１０ｂ、上枠１０ｃおよび下枠１０ｄ）を連結する場合、２つの挿入部２１をそれぞれ対応する枠材の挿入口１９に挿入するだけで、各挿入部２１の爪部２５が枠材に係止されて各枠材が連結される。したがって、連結部材の挿入部と枠材とを固定具で固定するような構成と比較して、枠材の枠組みを容易に行うことができる。
【００４０】
連結部材１１を枠材から取り外す場合には、枠材に形成された貫通孔１８を介して外方に露出する爪部２５を押し下げる操作を行うことにより、枠材に対する爪部２５の係止状態を解除して、枠材を容易に分解することができる。
図８は、取付枠５の背面図である。また、図９は、図８に示す矢印Ｂ−Ｂに沿った断面図である。
【００４１】
図８および図９を参照して、取付枠５は、その開口枠９の収容凹部１５内に出入口３の周縁部が入り込むようにして、保持枠１０が出入口３の周縁部におけるパネル２の前面（外壁面）に位置決めされた後、出入口３の周縁部におけるパネル２の後面（内壁面）であって、保持枠１０の左枠１０ａの上下端部および右枠１０ｂの上下端部の後方にそれぞれ固定部材３１が位置決めされ、後方から各固定部材３１およびパネル２を貫通させて保持枠１０の後面板１７ｂに２本のねじ３２がねじ込まれることによって固定される。
【００４２】
開口枠９の４隅の各角部（左枠９ａ、右枠９ｂ、上枠９ｃおよび下枠９ｄの各端部同士の連結部）には、それぞれ、正面視で略Ｌ字状に形成された挟持部材３３が、後面板１７ｂを挟み込むようにして取り付けられている。
保持枠１０に開口枠９を嵌め込んだ状態では、開口枠９の前面板１２ｂの外周縁部が保持枠１０のリブ２０の後側に位置しており、図９に示すように保持枠１０がパネル２の前面に位置決めされた状態では、開口枠９の前面板１２ｂが、パネル２の前面と保持枠１０のリブ２０との間に挟持された状態となる。
【００４３】
図１０は、固定部材３１の構成を示す図であって、図１０（ａ）は正面図、図１０（ｂ）は側面図、図１０（ｃ）は背面図、図１０（ｄ）は平面図をぞれぞれ示している。
図９および図１０を参照して、固定部材３１は、その前面がパネル２の後面に当接した状態で位置決めされる本体３４と、本体３４から左右方向に沿って開口枠９側に突出し、その前面が開口枠９（の後面板１２ｃ）の後面に当接する当接部３５とを含む。本体３４は、７．５ｍｍ程度の厚みに形成された正面視で略長方形状の板状部材であって、開口枠９側の端面が上下方向に延びる平坦面３４ａとなっており、開口枠９と反対側の端面が滑らかに凸湾曲した湾曲面３４ｂとなっている。固定部材３１の本体３４には、ねじ３２を貫通させるための２つの貫通孔３４ｃが上下方向に並べて形成されている。ただし、固定部材３１の本体３４に形成されるねじ３２を貫通させるための貫通孔３４ｃは、２つに限らず、たとえば１つであってもよいし、３つ以上であってもよい。
【００４４】
当接部３５は、２．５ｍｍ程度の厚みを有しており、本体３４の平坦面３４ａの後端から、左右方向に沿って開口枠９側に突出している。したがって、本体３４の前面と当接部３５の前面との間には、奥行きが５ｍｍ程度（開口枠９の後面板１２ｃの厚みと同程度）の空間が形成されている。当接部３５の先端面は、滑らかに凸湾曲した湾曲面となっている。
【００４５】
固定部材３１をパネル２の後面に位置決めする際には、開口枠９の後面板１２ｃの外側縁（側面板１２ａと反対側の側縁）に本体３４の平坦面３４ａが沿うようにして、上記空間内に開口枠９の後面板１２ｃの外側縁部を収容する。これにより、開口枠９の後面板１２ｃの外側縁部が、パネル２の後面と固定部材３１の当接部３５の前面との間に挟持された状態となる。
【００４６】
このような構成によれば、開口枠９を保持する保持枠１０を出入口３の周縁部の外壁面（パネル２の前面）に位置決めし、パネル２を貫通するねじ３２を介して固定部材３１の本体３４に連結させることにより、保持枠１０を出入口３の周縁部に取り付けるとともに、開口枠９の内面（後面）に当接する固定部材３１の当接部３５によって、開口枠９をより強固に固定することができる。
【００４７】
したがって、出入口３の周縁部に対する保持枠１０の取り付けと開口枠９の固定とを同時に行うことができるので、開口枠を保持枠とは別に固定具を用いて固定するような構成と比較して、開口枠９の取り付けが容易である。
また、保持枠１０がパネル２の前面（外面）に位置決めされた状態では、開口枠９の前面板１２ｂが、パネル２の前面と保持枠１０のリブ２０との間に挟持された状態となるので、保持枠１０に保持された開口枠９をより強固に固定することができる。
【００４８】
図９の下部に拡大図で示すように、リブ２０の先端部の後面には、後方に突出する凸条２０ａが形成されている。開口枠９の前面板１２ｂの前面には、リブ２０の凸条２０ａに対応する位置に凹条１２ｄが形成されていて、保持枠１０がパネル２の前面に位置決めされた状態では、リブ２０の凸条２０ａが開口枠９の凹条１２ｄ内に入り込むようになっている。したがって、保持枠１０に保持された開口枠９をさらに強固に固定することができる。
【００４９】
固定部材３１の当接部３５の前面中央部には、略円形の突起３５ａが１ｍｍ程度突出して形成されている。図３において説明したように、開口枠９の左枠９ａおよび右枠９ｂには、それぞれの後面板１２ｃの後面の上端部および下端部に略円形の窪み１６が形成されている。これらの窪み１６は、固定部材３１の当接部３５に形成された突起３５ａに対応する形状を有していて、固定部材３１をパネル２の後面の規定位置（４箇所）に位置決めした状態では、各固定部材３１の突起３５ａが対応する開口枠９の窪み１６内に入り込むようになっている。これにより、開口枠９が固定部材３１の当接部３５との当接面（鉛直面）に沿ってずれるのを防止できるので、開口枠９をより強固に固定することができる。
【００５０】
図１１は、挟持部材３３の構成を示す図であって、図１１（ａ）は正面図、図１１（ｂ）は側面図をそれぞれ示している。
図８および図１１を参照して、挟持部材３３は、互いに所定間隔を空けて対向する略Ｌ字状の前面板３３ａおよび後面板３３ｂと、これらの前面板３３ａおよび後面板３３ｂの外側縁（開口枠９と反対側の略Ｌ字状の側縁）を連結する側面板３３ｃとを含む。挟持部材３３を開口枠９に取り付ける際には、前面板３３ａと後面板３３ｂとの間の空間に開口枠９の角部が入り込むように挟持部材３３を開口枠９の後面板１２ｃに被せて、開口枠９の角部を側面板３３ｃの内面（開口枠９側の面）に当接させる。
【００５１】
前面板３３ａおよび後面板３３ｂは、外側縁から内側縁（開口枠９側の略Ｌ字状の側縁）に向かって、互いの間隔が徐々に狭くなるように形成されていて、外側縁間の距離は５ｍｍ程度（開口枠９の後面板１２ｃの厚みと同程度）であるのに対し、内側縁間の距離は４．５ｍｍ程度（開口枠９の後面板１２ｃの厚みよりも短い距離）となっている。したがって、挟持部材３３を開口枠９に取り付けた状態では、開口枠９の後面板１２ｃの角部が挟持部材３３によって挟持され、開口枠９の隣接する枠材（左枠９ａ、右枠９ｂ、上枠９ｃおよび下枠９ｄ）の端部同士を良好に連結することができるので、開口枠９をより強固に固定することができる。
【００５２】
この発明は、以上の実施形態の内容に限定されるものではなく、請求項記載の範囲内において種々の変更が可能である。
たとえば、連結部材１１は、保持枠１０の左枠１０ａ、右枠１０ｂ、上枠１０ｃおよび下枠１０ｄの端部に対して爪部２５によって係止されるものに限らず、凸部や凹部などによって係止されるものであってもよい。
【００５３】
固定部材３１の当接部３５と開口枠９の後面板１２Ｃとの係合は、当接部３５に形成された突起３５ａと後面板１２ｃに形成された窪み１６との嵌合によるものに限らず、たとえば、当接部３５に窪みを設けて、当該窪みに後面板１２ｃに形成した突起を嵌合させるような構成であってもよい。
プレハブ式冷凍冷蔵庫１は、図１に示すような形状のものに限らず、たとえば、前面が３枚以上の側面パネル２ｂによって構成されるものであってもよい。この場合、側面パネル２ｂの側端面によって出入口３の左側縁および右側縁が区画され、それらの側面パネル２ｂの間に配置された側面パネル２ｂの長さが短くされることにより出入口３が形成されるものであってもよい。
【００５４】
出入口３の高さをＬ字パネル２ａおよび側面パネル２ｂの長さと同程度にすれば、出入口３の上端縁および下端縁をそれぞれ天面パネル２ｃおよび底面パネルの前端縁によって区画し、出入口３の左側縁および右側縁をＬ字パネル２ａや側面パネル２ｂによって区画することができるので、長さの短い側面パネル２ｂを用いることなく出入口３を区画することができる。
【００５５】
また、出入口３は、その左側縁および右側縁がＬ字パネル２ａや側面パネル２ｂの側端面によって区画されるような構成に限らず、たとえば、プレハブ式冷凍冷蔵庫１の前面の任意の位置に略矩形の開口を穿設することにより出入口３が形成されていてもよい。
扉４は、保持枠１０の右枠１０ｂに取り付けられるような構成に限らず、たとえば、保持枠１０の左枠１０ａ、上枠１０ｃ、下枠１０ｄなどに取り付けられるような構成であってもよいし、保持枠１０とは別の部材に取り付けられるような構成であってもよい。
【００５６】
また、扉４は、取付枠５に取り付けられるような構成に限らず、たとえば、パネル２に直接取り付けられるような構成であってもよい。
上記実施形態では、プレハブ構造体の一例としてプレハブ式冷凍冷蔵庫１について説明したが、この発明は、プレハブ式冷凍冷蔵庫に限らず、複数のパネルを組み立てることにより形成されるクリーンルーム、食品加工室、防音室などの他のプレハブ構造体にも適用可能である。
【図面の簡単な説明】
【００５７】
【図１】この発明の一実施形態に係るプレハブ式冷凍冷蔵庫の外観構成を示す斜視図である。
【図２】取付枠の正面図である。
【図３】開口枠の左枠の構成を示す図である。
【図４】保持枠の左枠の構成を示す図である。
【図５】保持枠の左上隅に配置される連結部材の構成を示す図である。
【図６】保持枠の左上隅に配置される連結部材の構成を示す図である。
【図７】図６（ｃ）に示す矢印Ａ−Ａに沿った断面図である。
【図８】取付枠の背面図である。
【図９】図８に示す矢印Ｂ−Ｂに沿った断面図である。
【図１０】固定部材の構成を示す図である。
【図１１】挟持部材の構成を示す図である。
【符号の説明】
【００５８】
１  プレハブ式冷凍冷蔵庫
２  パネル
３  出入口
４  扉
５  取付枠
９  開口枠
９ａ  左枠
９ｂ  右枠
９ｃ  上枠
９ｄ  下枠
１０  保持枠
２０  リブ
３１  固定部材
３２  ねじ
３３  挟持部材
３４  本体
３５  当接部
３５ａ  突起
【図１】
2005221156.tif 000003
【図２】
2005221156.tif 000004
【図３】
2005221156.tif 000005
【図４】
2005221156.tif 000006
【図５】
2005221156.tif 000007
【図６】
2005221156.tif 000008
【図７】
2005221156.tif 000009
【図８】
2005221156.tif 000010
【図９】
2005221156.tif 000011
【図１０】
2005221156.tif 000012
【図１１】
2005221156.tif 000013